(57)【要約】      （修正有）【課題】各種の物品、例えばクリップボード、ホワイトボード、下敷き、ポスター、ラベル等において、蓄光材料をバックライトとして用いることにより、暗い場所でもこれら物品の視識性と利便性を高める物品のバックライト手段を提供する。【解決手段】ホワイトボード１の台紙２の表面に蓄光材料シート３を貼りつけ、この上に用紙ａをクリップして記入したりすることにより、用紙ａに記入した文字等が蓄光材料シート３のバックライト効果で読み易くなるようにする。【選択図】図１
0003178501.tif 000002
【実用新案登録請求の範囲】
【請求項１】
蓄光材料層をバックライトとして用いる又は用いることができるように構成してなる物品のバックライト手段。
【請求項２】
前記手段は、クリップボード、ホワイトボード、下敷き、画版、ポスター、ラベル、シール、テープ、表札、名札、掲示板、デスクマット、メモ用紙・伝票ばさみ、額縁の台紙、津波避難誘導標識、交通規制板のいずれか一種に用いられていることを特徴とする請求項１に記載の物品のバックライト手段。
【請求項３】
前記蓄光材料をシート状又は板状又は塗料に形成すると共にこの蓄光材料をマイクロ吸盤又は両面接着テープ又は面テープ又は咸圧接着剤を利用して物品に着脱自在に取り付けることができるように構成している請求項１又は２に記載の物品のバックライト手段。
【考案の詳細な説明】
【技術分野】
【０００１】
本考案は、例えば、クリップボードの裏面に蓄光材料層を形成しておくことにより、クリップボード上に止めた記録紙等の文字あるいは罫線等が暗い場所でも解り易く、あるいは停電等に際しては明かりとしても用いることができる各種物品のバックライト手段に関する。
【背景技術】
【０００２】
蓄光材料は、太陽光や蛍光灯などの光エネルギー（紫外線）を吸収して、暗闇で徐々に光を放出する特徴を有し、停電となった場合の避難誘導標識等としての応用が知られている。
【０００３】
また、特開２０１１―１５０８９９号公報には、装飾体として蓄光塗料を用いる例が紹介されているが、この例は、あくまでも装飾が目的であって、バックライトとしての用途ではない。
【０００４】
また、蛍光灯やＬＥＤを用いたバックライトの場合、電源が消失してしまうと、機能しなくなるという不便がある。
【０００５】
また、クリップボードとかホワイトボードのようなものの場合、暗い場所では表記した文字が読みにくいという不便がある。
【０００６】
また、ポスターのように、不特定多数の人の目に触れるものの場合、目を惹き易いことがひとつの条件であり、このために蛍光塗料等が用いられる例もあるが、この場合には描くものに制約が多いと共に光がないと視認することができない。
【０００７】
また、路上の危険箇所を示したり、交通規制などを行う規制板であって、電源を持たないものの場合、夜間は機能しないという欠点がある。  
【先行技術文献】
【特許文献】
【０００８】
【特許文献１】特開２０１１―１５０８９９号
【考案の概要】
【考案が解決しようとする課題】
【０００９】
本考案は、クリップボード等のような筆記用具あるいはポスターのような物品の表示手段などにおいて、蓄光材料をバックライトとして機能させて暗闇でも記入したり、読み込んだり、視線を惹きつけることができると共に電源を持たない交通規制板などにおいては夜間でも機能を失わない自発光機能を発揮する所謂これら物品のバックライト手段を提供することを課題とする。
【課題を解決するための手段】
【００１０】
上記課題を解決するための手段として、請求項１に記載の考案は、蓄光材料を物品のバックライトとして用いる又は用いることができるように構成してなることを特徴とするものである。
【００１１】
更に、請求項２に記載の考案は、請求項１に記載の物品のバックライト手段は、クリップボード、ホワイトボード、下敷き、画版、ポスター、ラベル、シール、テープ、表札、名札、掲示板、デスクマット、メモ用紙・伝票ばさみ、額縁の台紙、津波避難誘導標識、交通規制板のいずれか一種に用いられていることを特徴とするものである。
【００１２】
更に、請求項３に記載の考案は、請求項１に記載の物品のバックライト手段において、前記蓄光材料をシート状又は板状又は塗料状に形成すると共にこの蓄光材料をマイクロ吸盤又は両面接着テープ又は面テープ又は咸圧接着剤を利用して物品の上面に着脱自在に取り付けることができるように構成してなることを特徴とするものである。
【考案の効果】
【００１３】
本考案は、各種の文字  や表示手段、標識等の物品において、蓄光材料層がバックライトとして機能するため、暗闇でも記載内容が良く解ったり、視線を惹きつけたりする効果がある。
【図面の簡単な説明】
【００１４】
【図１】クリップボードの説明図
【図２】Ａ―Ａ´線断面図
【図３】ホワイトボードの説明図
【図４】ポスターの説明図
【図５】津波避難誘導標識の説明図
【図６】表札の説明図
【考案を実施するための形態】
【実施例１】
【００１５】
図１、２は、本考案をクリップボードに適用した実施例を示すもので、符号の１はクリップボード、２は台紙、３はこの台紙２の表面に貼り付けられた蓄光材料シート３であって、この蓄光材料シート３は接着剤を用いて貼り付けられている。４はクリップであって、用紙ａをこのクリップ４で蓄光材料シート３上に載せて止めて用いることができる。
【００１６】
このような構成のクリップボード１を用いると、暗い場所でも蓄光材料シート３の蓄光が用紙５のバックライトとして機能するため記入した文字とか用紙５に印刷された文字、罫線等が良く解り、便利となる。
【００１７】
なお、本実施例１は、下敷き、画版等においても同一構造で実施化が可能である。
【００１８】
以上の実施例１において、蓄光材料シート３の表面には、汚れや損傷を防止する目的で透明なフイルムを被覆してもよい。あるいは、変化をつけるために半透明な着色フイルムを被覆したりすると、下敷きや画版等については学童に嬉ばれること請け合いである。この半透明フイルムは複数種類を用意することで、個人の好みに合った色合いのものに変化させることもできる。
【実施例２】
【００１９】
本実施例２は、図３に示すように、ホワイトボード５の表面に蓄光材料シート３を貼り、この表面にボード表材６を貼り、このボード表材６の表面にマーカーを用いて文字等を記録する。
【実施例３】
【００２０】
本実施例３は、図４に示すように、ポスター７の裏面にバックライトとしての蓄光材料シート３を貼り合わせてポスター効果を高めるように構成した例である。
【実施例４】
【００２１】
本実施例４は、図５に示すように津波が来た時の避難誘導標８にバックライトとして蓄光材料シート３を貼り合わせておくことにより、暗闇でも非難誘導方向と現在の標高等を知ることができる。
【００２２】
なお、以上で説明した蓄光材料シート３ではなく、蓄光塗料を塗布して蓄光材料層としても良い。
【実施例５】
【００２３】
本実施例５は、図６に示すように表札９に蓄光材料シート３を貼り合わせておくことにより、蓄光材料シート３を表札９のバックライトとして機能させるように構成した例である。
【符号の説明】
【００２４】
１  クリップボード
２  台紙
３  蓄光材料シート
４  クリップ
５  ホワイトボード
６  ボード表材
７  ポスター
８  津波避難誘導標識
９  表札
【図１】
0003178501.tif 000003
【図２】
0003178501.tif 000004
【図３】
0003178501.tif 000005
【図４】
0003178501.tif 000006
【図５】
0003178501.tif 000007
【図６】
0003178501.tif 000008
【手続補正書】
【提出日】平成24年7月17日(2012.7.17)
【手続補正１】
【補正対象書類名】実用新案登録請求の範囲
【補正対象項目名】全文
【補正方法】変更
【補正の内容】
【実用新案登録請求の範囲】
【請求項１】
蓄光材料層を物品の表面に形成し、この蓄光材料層が発する光をバックライトとして用いることができるように構成してなる物品のバックライト手段。
【請求項２】
前記手段は、クリップボード、ホワイトボード、下敷き、画版、ポスター、ラベル、シール、テープ、表札、名札、掲示板、デスクマット、メモ用紙・伝票ばさみ、額縁の台紙、津波避難誘導標識、交通規制板のいずれか一種に用いられていることを特徴とする請求項１に記載の物品のバックライト手段。
【請求項３】
前記蓄光材料層をシート状又は板状又は塗料に形成すると共にこの蓄光材料層をマイクロ吸盤又は両面接着テープ又は面テープ又は咸圧接着剤を利用して物品に着脱自在に取り付けることができるように構成してなる請求項１又は２に記載の物品のバックライト手段。
【手続補正２】
【補正対象書類名】明細書
【補正対象項目名】全文
【補正方法】変更
【補正の内容】
【考案の詳細な説明】
【技術分野】
【０００１】
本考案は、例えば、クリップボードの表面に蓄光材料層を形成しておくことにより、この蓄光材料がクリップボード上に止めた記録紙等の文字あるいは罫線等を裏から明るく照らし、暗い場所でも文字等が解り易く、あるいは停電等に際しては明かりとしても用いることができる蓄光材料層を用いた各種物品のバックライト手段に関する。
【背景技術】
【０００２】
蓄光材料は、太陽光や蛍光灯などの光エネルギー（紫外線）を吸収して、暗闇で徐々に光を放出する特徴を有し、停電となった場合の避難誘導標識等としての応用が知られている。
【０００３】
また、特開２０１１―１５０８９９号公報には、装飾体として蓄光塗料を用いる例が紹介されているが、この例は、あくまでも装飾が目的であって、バックライトとしての用途ではない。
【０００４】
また、蛍光灯やＬＥＤを用いたバックライトの場合、電源が消失してしまうと、機能しなくなるという不便がある。
【０００５】
また、クリップボードとかホワイトボードのようなものの場合、暗い場所では表記した文字が読みにくいという不便がある。
【０００６】
また、ポスターのように、不特定多数の人の目に触れるものの場合、目を惹き易いことがひとつの条件であり、このために蛍光塗料等が用いられる例もあるが、この場合には描くものに制約が多いと共に光がないと視認することができない。
【０００７】
また、路上の危険箇所を示したり、交通規制などを行う規制板であって、電源を持たないものの場合、夜間は機能しないという欠点がある。  
【先行技術文献】
【特許文献】
【０００８】
【特許文献１】特開２０１１―１５０８９９号
【考案の概要】
【考案が解決しようとする課題】
【０００９】
本考案は、クリップボード等のような筆記用具あるいはポスターのような物品の表示手段などにおいて、蓄光材料をバックライトとして機能させて暗闇でも記入したり、読み込んだり、視線を惹きつけることができると共に電源を持たない交通規制板などにおいては夜間でも機能を失わない自発光機能を発揮する所謂これら物品のバックライト手段を提供することを課題とする。
【課題を解決するための手段】
【００１０】
上記課題を解決するための手段として、請求項１に記載の考案は、蓄光材料層を物品の表面に形成することにより、バックライトとして用いることができるように構成してなることを特徴とするものである。
【００１１】
更に、請求項２に記載の考案は、請求項１に記載の物品は、クリップボード、ホワイトボード、下敷き、画版、ポスター、ラベル、シール、テープ、表札、名札、掲示板、デスクマット、メモ用紙・伝票ばさみ、額縁の台紙、津波避難誘導標識、交通規制板のいずれか一種であることを特徴とするものである。
【００１２】
更に、請求項３に記載の考案は、請求項１又は２に記載の前記蓄光材料層は、シート状又は板状又は塗料状に形成されていると共にこの蓄光材料層をマイクロ吸盤又は両面接着テープ又は面テープ又は咸圧接着剤を利用して物品の上面に着脱自在に取り付けることができるように構成してなることを特徴とするものである。
【考案の効果】
【００１３】
本考案は、各種の文字  や表示手段、標識等の物品において、蓄光材料層がバックライトとして機能するため、暗闇でも記載内容が良く解ったり、視線を惹きつけたりする効果がある。
【図面の簡単な説明】
【００１４】
【図１】クリップボードの説明図
【図２】Ａ―Ａ´線断面図
【図３】ホワイトボードの説明図
【図４】ポスターの説明図
【図５】津波避難誘導標識の説明図
【図６】表札の説明図
【考案を実施するための形態】
【実施例１】
【００１５】
図１、２は、本考案をクリップボードに適用した実施例を示すもので、符号の１はクリップボード、２は台紙、３はこの台紙２の表面に貼り付けられた蓄光材料シート３であって、この蓄光材料シート３は接着剤を用いて貼り付けられている。４はクリップであって、用紙ａをこのクリップ４で蓄光材料シート３上に載せて止めて用いることができる。
【００１６】
このような構成のクリップボード１を用いると、暗い場所でも蓄光材料シート３の蓄光が用紙５のバックライトとして機能するため記入した文字とか用紙５に印刷された文字、罫線等が良く解り、便利となる。
【００１７】
なお、本実施例１は、下敷き、画版等においても同一構造で実施化が可能である。
【００１８】
以上の実施例１において、蓄光材料シート３の表面には、汚れや損傷を防止する目的で透明なフイルムを被覆してもよい。あるいは、変化をつけるために半透明な着色フイルムを被覆したりすると、下敷きや画版等については学童に嬉ばれること請け合いである。この半透明フイルムは複数種類を用意することで、個人の好みに合った色合いのものに変化させることもできる。
【実施例２】
【００１９】
本実施例２は、図３に示すように、ホワイトボード５の表面に蓄光材料シート３を貼り、この表面にボード表材６を貼り、このボード表材６の表面にマーカーを用いて文字等を記録する。
【実施例３】
【００２０】
本実施例３は、図４に示すように、ポスター７の裏面にバックライトとしての蓄光材料シート３を貼り合わせてポスター効果を高めるように構成した例である。
【実施例４】
【００２１】
本実施例４は、図５に示すように津波が来た時の避難誘導標８にバックライトとして蓄光材料シート３を貼り合わせておくことにより、暗闇でも非難誘導方向と現在の標高等を知ることができる。
【００２２】
なお、以上で説明した蓄光材料シート３ではなく、蓄光塗料を塗布して蓄光材料層としても良い。
【実施例５】
【００２３】
本実施例５は、図６に示すように表札９に蓄光材料シート３を貼り合わせておくことにより、蓄光材料シート３を表札９のバックライトとして機能させるように構成した例である。
【符号の説明】
【００２４】
１  クリップボード
２  台紙
３  蓄光材料シート
４  クリップ
５  ホワイトボード
６  ボード表材
７  ポスター
８  津波避難誘導標識
９  表札